(57)【要約】【課題】  再生する音声ソースの種類や再生モードなどに応じて、音域バランスを変更して音声を再生することができる平面型のスピーカ装置を提供する。【解決手段】  平面振動板に、音声信号を個別に入力可能な複数のコイルを所定の間隔で配置し、平面振動板の各コイルを仕切り板で区分して、それぞれ独立したスピーカとして動作しスピーカ毎に異なる音域の音声を再生可能な平面型のアレイスピーカを設ける。そして、音声信号の種類または再生モードに応じて所定数のスピーカ毎に再生音域を割り当てて、再生音域の異なる複数のスピーカ群による再生領域を構成するとともに、音声信号の種類または再生モードが変更されると、前記スピーカ毎に割り当てる再生音域を変更して前記スピーカ群のスピーカ数及び前記再生領域の配置を変更する。例えば、高音域を再生するスピーカ数を限定して、高音域の指向性を広くするといったことが可能になる。【選択図】  図１
2005130397.tif 000002
【特許請求の範囲】
【請求項１】
各々独立した入力端子を備えた複数のコイルが所定の間隔で配置され、前記コイルの周囲にそれぞれコルゲーションが形成された平面振動板と、前記コイルと鎖交する磁界を発生させる複数の磁石と、前記平面振動板をコイル毎に独立したスピーカに区分する仕切り板と、から成る平面型のアレイスピーカ。
【請求項２】
請求項１に記載のアレイスピーカと、
音声信号の種類または再生モードに応じて所定数のスピーカ毎に再生音域を割り当てて、再生音域の異なる複数のスピーカ群による再生領域を構成するとともに、音声信号の種類または再生モードが変更されると、前記スピーカ毎に割り当てる再生音域を変更して前記スピーカ群のスピーカ数及び前記再生領域の配置を変更する制御手段と、を備えたスピーカ装置。
【請求項３】
音声ソース供給機器から出力された音声信号の種類の情報を取得する情報取得手段と、
音声信号の種類または再生モードに応じて各スピーカに割り当てる再生音域の情報を記憶する記憶手段と、を備え、
前記制御手段は、前記情報取得手段で取得した音声信号の種類の情報に基づいて、前記記憶手段から各スピーカの再生音域の割り当て情報を読み出して、各スピーカの再生音域を設定する請求項２に記載のスピーカ装置。
【発明の詳細な説明】
【技術分野】
【０００１】
本発明は、音域のバランスの制御が可能で、指向性を損なわず分割振動が発生しない薄型のアレイスピーカ及びスピーカ装置に関する。
【背景技術】
【０００２】
スピーカには、コーン型・ドーム型・ホーン型・リボン型などがあり、これのスピーカをエンクロージャに取り付けた構造のブックシェルフ型・フロア型・トールボーイ型などのスピーカ装置が広く普及している。
【０００３】
近時、液晶テレビやプラズマテレビなど映像再生装置の薄型化に伴い、スピーカ装置に対する薄型化のニーズが増大している。しかし、映像再生装置用のスピーカは、上記のようにコーン型やドーム型などのスピーカを使用したものが一般的であり、これらのスピーカを使用したスピーカ装置は、その構造上薄型化に限界があった。
【０００４】
そこで、薄型化された映像再生装置用のスピーカとして、従来のスピーカとは構造の異なる平面型のスピーカが提案されている。例えば、平面パネル状の振動板上に複数のコイルを設けて、各コイルに磁石で磁界を鎖交させ、コイルに電流を流した際に電流が磁界から受ける力で振動板を振動させて放音させるタイプの平面型スピーカに関する技術が開示されている（例えば、特許文献１参照。）。
【特許文献１】特開２０００−１５２３７８号公報（第６−８頁、第１−１０図）
【発明の開示】
【発明が解決しようとする課題】
【０００５】
特許文献１に記載の平面型音響変換装置は、振動膜上に設けた複数のコイルに同時に同じ電流を流して、振動膜全体を振動させて音響信号を発生させる構造であり、振動膜の面積を広くすることができるので、低音の音域を広げて音量を確保することができる。しかし、振動膜の面積が広いために、振動膜が重くなって高音域で追従性が低くなり高音が低下したり、高音域の指向性が鋭くなって高音域の音声の聞こえる範囲が狭くなったりするという問題があった。また、分割振動が生じて、周波数特性に凹凸が生じるという問題があった。
【０００６】
そこで、本発明は、再生する音声ソースの種類や再生モードなどに応じて、音域バランスを変更して音声を再生することができるアレイスピーカ及び平面型のスピーカ装置を提供することを目的とする。
【課題を解決するための手段】
【０００７】
この発明は、上記の課題を解決するための手段として、以下の構成を備えている。
【０００８】
（１）各々独立した入力端子を備えた複数のコイルが所定の間隔で配置され、前記コイルの周囲にそれぞれコルゲーションが形成された平面振動板と、前記コイルと鎖交する磁界を発生させる複数の磁石と、前記平面振動板をコイル毎に独立したスピーカに区分する仕切り板と、から成ることを特徴とする。
【０００９】
この構成においては、複数のコイルを設けた平面振動板を仕切り板でコイル毎に分割して独立したスピーカにしているので、各スピーカの再生領域を小さくして分割振動が発生するのを防止した平面型のアレイスピーカを実現できる。また、コイルの周囲にコルゲーションを設けているので、高音域でも問題なく再生することができる。
【００１０】
（２）（１）に記載のアレイスピーカと、
音声信号の種類または再生モードに応じて所定数のスピーカ毎に再生音域を割り当てて、再生音域の異なる複数のスピーカ群による再生領域を構成するとともに、音声信号の種類または再生モードが変更されると、前記スピーカ毎に割り当てる再生音域を変更して前記スピーカ群のスピーカ数及び前記再生領域の配置を変更する制御手段と、を備えたことを特徴とする。
【００１１】
この構成においては、平面型のアレイスピーカを構成する各スピーカに再生音域を割り当てることができ、また、各スピーカの再生音域を変更することができる。したがって、再生する音声信号の種類などに応じて各音域を再生するスピーカ数を変更させて、各音域の音圧を、再生する音声信号の種類や再生モードに適した帯域配分にすることができる。例えば、低音域を再生するスピーカ数を増加させてこの音域の音圧を増強したり、高音域を再生するスピーカ数を限定して、高音域の指向性を広く設定したりするといったことが可能になる。
【００１２】
（３）音声ソース供給機器から出力された音声信号の種類の情報を取得する情報取得手段と、
音声信号の種類または再生モードに応じて各スピーカに割り当てる再生音域の情報を記憶する記憶手段と、を備え、
前記制御手段は、前記情報取得手段で取得した音声信号の種類の情報に基づいて、前記記憶手段から各スピーカの再生音域の割り当て情報を読み出して、各スピーカの再生音域を設定することを特徴とする。
【００１３】
この構成においては、音声ソースの供給機器から音声ソースの種類に関する情報を取得するので、この情報に基づいて各音域のバランスが最適な状態となるようにアレイスピーカの各スピーカに割り当てる再生音域を自動的に切り替えることができる。また、音声ソースの種類や再生モードに応じた各スピーカの再生音域の割り当て情報を記憶手段で記憶しているので、同じ種類の音声ソースや再生モードの場合、各音域を毎回同じバランスに設定することができ、最適な音域バランスの状態で音声を再生することができる。
【発明の効果】
【００１４】
平面振動板に複数のコイルを設け仕切り板でコイル毎に分割して、各コイルが独立したスピーカとなるように構成しているので、各スピーカの再生領域を小さくして分割振動が発生するのを防止した薄型の平面型アレイスピーカを実現できる。また、アレイスピーカを構成する各スピーカに再生音域を割り当てることができ、さらに、各スピーカの再生音域を変更することができるので、再生する音声信号の種類などに応じて各音域を再生するスピーカ数を変更させることができる。また、高音域を再生するスピーカを少数のスピーカに限定することができるので、高音域の指向性を広くすることができる。
【発明を実施するための最良の形態】
【００１５】
図１は、平面型のアレイスピーカの外観を示す正面図及び側面断面図である。図１（Ａ），（Ｂ）に示すように、アレイスピーカ６０は、ベース板６１、ｎ個のマグネット６２−１〜６２−ｎ（マグネット６２と総称する。）、仕切り板６３、振動板６４、及びクランパ６５により構成されている。振動板６４は、所定の大きさで薄膜の平面板である。振動板６４には、ｎ個の渦巻き状のコイル６６−１から６６−ｎ（コイル６６と総称する。）が所定の間隔でマトリックス状に配置されている。また、各コイル６６の周囲には、コルゲーション６７（コルゲーション６７−１〜６７−ｎ）が形成されている。
【００１６】
ベース板６１は、マグネット６２及び仕切り板６３を取り付けるための平板である。仕切板６３の各格子内には、一方の磁極面をベース板６１に当接させてマグネット６２が取り付けられている。マグネット６２は、一方の磁極面がベース板６１に当接し、他方の磁極面が振動板６４に対向し、隣に設置されたマグネットと磁極面の向きが異なるように設置されている。また、各マグネット６２は、振動板６４に形成されたコイル６６と磁束が鎖交するように配置されている。振動板６４は、仕切板６３とクランパ６５とに挟まれており、仕切り板６３及びクランパ６５の格子サイズは、コイル６６の周囲に形成されたコルゲーション６７の周りを囲むサイズに設定されており、格子の１辺の長さは、例えば２０〜３０ｍｍにすると良い。また、仕切り板６３及びクランパ６５の各格子によって、振動板６４上に形成された各コイル６６がそれぞれ仕切られる。振動板６４上の各コイル６６には個別に異なる電流を流すことができ、上記のように仕切板６３及びクランパ６５によって仕切られた独立したスピーカ６０−１〜６０−ｎとしてそれぞれ使用できる。
【００１７】
ｎ個の渦巻き状のコイル６６が所定の間隔でマトリックス状に配置されており、音声信号に応じた電流を各コイル６６に流すと、コイル６６を流れる電流に対して、鎖交する磁束により力が加わり振動板６４が振動して音声を放音する。また、前記のように各スピーカ６０−１〜６０−ｎにおいて、コイル６６の周囲にはコルゲーション６７が設けられているので、コイル６６を流れる電流にマグネット６２の磁束による力が加わった際に、高音域の音声信号を出力する場合でも振動板６５を振動させて確実に放音させることができる。
【００１８】
アレイスピーカ６０は、図１（Ｃ）に示すように、薄膜の平面板からなる振動板６４を複数枚積層した構造にすることもできる。図１（Ｃ）に示したアレイスピーカ６０は、振動板を積層した構造以外は図１（Ｂ）に示したアレイスピーカ６０とほぼ同様の構造である。図１（Ｃ）に示した振動板６４は、一例としてｎ個の渦巻き状のコイル６６−１から６６−ｎが所定の間隔でマトリックス状に配置されている振動板６４（６４−１〜６４−４）４枚を積層した構造であり、各層のコイルは上下の層の相対するコイルとシリーズ（直列）に接続されている。例えば、図１（Ｃ）に示したスピーカ６０−１の場合、振動板６４−１のコイル６６−１ａ、振動板６４−２のコイル６６−１ｂ、振動板６４−３のコイル６６−１ｃ、及び振動板６４−４のコイル６６−１ｄが、この順にシリーズに接続されており、他のスピーカ６０−２〜６０−ｎについても同様に、各層のコイルがシリーズ接続されている。また、振動板６４−１〜６４−４は、それぞれ接着剤などで接着されて１枚のシート状に形成されている。ここで、振動板６４−１〜６４−４を１枚のシート状に形成する際には、各層のコイルの絶縁が保たれるように、コイル同士が直接接触しないようにコイルを振動板上に形成するか、または、振動板間に絶縁シートなどを挟むようにすると良い。シリーズ接続された各コイル６６の周囲には、コルゲーション６７（コルゲーション６７−１〜６７−ｎ）が形成されている。また、振動板６４は、仕切板６３とクランパ６５とに挟まれており、仕切り板６３及びクランパ６５の格子サイズは、コイル６６の周囲に形成されたコルゲーション６７の周りを囲むサイズに設定されている。振動板６４上の各コイル６６には個別に異なる電流を流すことができ、上記のように仕切板６３及びクランパ６５によって仕切られた独立したスピーカ６０−１〜６０−ｎとしてそれぞれ使用できる。このように、積層構造にすることにより、コイルの巻き数（ターン数）を増加して、電気機械接合を高めることができ、アレイスピーカ６０の各スピーカの出力（音量）を大きくすることができる。
【００１９】
なお、振動板６４上に配置するコイル６６用のパターン材には、一般的に銅が使用されるが、例えばアルミニウムを使用することで、振動板６４の重量を軽量化することができ、音声の再生能力を向上させることができる。
【００２０】
図２は、スピーカ装置のアレイスピーカの組み立て方法の一例を示した図である。アレイスピーカ６０は、例えば以下のようにして組み立てる。まず、図２（Ａ）に示すように、振動板２の表面に所定の間隔でマトリックス状にｎ個のコイル６６を形成する。続いて、図２（Ｂ）に示すように、プレス上板３Ａ及びプレス下板３Ｂで振動板６４を挟み込んで、各コイル６６の周囲にコルゲーション６７を形成する。その結果、図２（Ｃ）に示すように、各コイル６６の周囲にコルゲーション６７によるサスペンションが形成される。さらに、図２（Ｄ）に示すように、各コルゲーション６７の周囲を仕切り板６３の格子で囲まれるように、振動板６４を格子状の仕切り板５の上に載置し、振動板６４の上からクランパ６５を載せて、クランパ６５の所定箇所にネジ止めする。これにより、アレイスピーカ６０が完成する。なお、各スピーカ２３の配線は図示していないが、図外のアンプ２１に接続する。
【００２１】
アレイスピーカ６０は、上記のようにｎ個のスピーカの集合体であるので、アレイスピーカ６０を構成するｎ個のスピーカ６０−１〜６０−ｎを複数のグループに分けて、各グループ毎に異なる音域の音声を再生させることができる。また、アレイスピーカ６０で再生する音声信号の種類や再生モードに応じて各スピーカの再生音域を変更して、スピーカ群のスピーカ数や再生領域を変更する。例えば、低域の音圧（音量）を大きくしたい場合には、中域の再生を担当する複数のスピーカに低域を再生するように担当変更する。このようにすることで、音声の低域を再生するスピーカの数量を増加させるとともに、低域の再生領域を広くすることができるので、波長の長い低域の音声であってもアレイスピーカ６０の低域再生領域に再生させることができる。
【００２２】
次に、本発明のアレイスピーカで音声を再生するための構成について説明する。図３は、本発明の実施形態に係るスピーカ装置の概略構成を示すブロック図である。スピーカ装置１は、通信インタフェース１１を介して音声ソース供給機器の一例であるチューナ２及び音声データプレーヤ３に接続されており、チューナ２または音声データプレーヤ３から出力された音声を再生する。モニタ４は、チューナ２から出力された映像を表示する。チューナ２は、インターネット５に接続されており、番組情報提供サイト６から番組のジャンル情報などを取得することができる。音声データプレーヤ３は、インターネット５に接続されており、記録媒体情報提供サイト７から記録媒体に記録されたデータのジャンル情報や音楽の種類の情報などを取得することができる。
【００２３】
スピーカ装置１は、通信インタフェース１１、記憶部１２、操作部１３、表示部１４、システムコントローラ１５、ＤＳＰ設定部１６、音声デコーダ１７、残響負荷部１８及びフィルタスイッチ１９から成るＤＳＰ２０、アンプ２１、及びアレイスピーカ２２を備えている。チューナ２は、アンテナ３１、受信部３２、分波器（ＤＭＵＸ）３３、映像復号部３４、音声復号部３５、ＥＰＧ復号部３６、ネットワークインタフェース３７、システムコントローラ３８、ＥＰＧ記憶部３９、及び通信インタフェース４０を備えている。音声データプレーヤ３は、音声データ再生部５１、音声復号部５２、通信インタフェース５３、ネットワークインタフェース５４、及びシステムコントローラ５５を備えている。
【００２４】
スピーカ装置１において、通信インタフェース１１は、スピーカ装置１に接続された音声ソース供給機器であるチューナ２や音声データプレーヤ３と情報のやりとりを行い、音声ソースのジャンル情報をシステムコントローラ１５へ出力し、音声データを音声デコーダ１７に出力する。通信インタフェース１１には、例えばＩＥＥＥ１３９４やＵＳＢなどの通信規格を適用すると良い。記憶部１２は、スピーカ装置１で再生する音声ソースのジャンル毎のフィルタスイッチ１９の設定などを記憶する。操作部１３は、スピーカ装置１の各種設定を受け付けて、操作に応じた信号をシステムコントローラ１５へ出力する。表示部１４は、システムコントローラ１５からの制御信号に応じてユーザに伝達する事項などを表示する。システムコントローラ１５は、スピーカ装置１の各部の動作を制御する。また、アレイスピーカ２２から出力する音声の種類などに応じて、記憶部１２からフィルタスイッチ１９の設定情報を読み出して、フィルタスイッチ１９のバンドパスフィルタを設定する。ＤＳＰ設定部１６は、システムコントローラ１５からの制御信号に応じて残響付加部１８及びフィルタスイッチ１９へ制御信号を出力して設定を切り替える。音声デコーダ１７は、チューナ２や音声データプレーヤ３から送られてきたディジタル音声信号をアナログ音声信号に変換して残響付加部１８へ出力する。残響付加部１８は、音声デコーダ１７から出力された音声信号に、必要に応じてエコーを付加してフィルタスイッチ１９へ出力する。フィルタスイッチ１９は、高音域、中音域、低音域のバンドパスフィルタを備えており、これらいずれかのバンドパスフィルタを通過させたアナログ音声信号をアンプ２１へ出力する。なお、バンドパスフィルタと表現したが、低音域はローパスフィルタ（ＬＰＦ）を、高音域はハイパスフィルタ（ＨＰＦ）を使用すればよい。フィルタスイッチ１９は、ＤＳＰ設定部１６からの制御信号に基づいて、アナログ音声信号を通過させるバンドパスフィルタの設定を変更する。アンプ２１は、アレイスピーカ２２に出力する音声信号を増幅するｎ個のアンプ回路から成り、フィルタスイッチ１９の各バンドパスフィルタを通過したアナログ音声信号を増幅する。アレイスピーカ２２は、ｎ個の平面型のスピーカから成り、アンプ２１から出力されたアナログ音声信号を放音する。
【００２５】
チューナ２において、受信部３２は、アンテナ３１で受信した電波を変調して分波器３３に出力する。分波器（ＤＭＵＸ）３３は、複数のチャンネルの映像・音声信号特定のチャンネルの映像・音声信号を抽出して映像復号部３４及び音声復号部３５へ出力する。また、分波器３３は、映像・音声信号とともに送信されたＥＰＧ信号を分離してＥＰＧ復号部３６へ出力する。映像復号部３４は、映像信号を復号してディスプレイ４に出力する。音声復号部３５は、音声信号を復号してディジタル音声信号を通信インタフェース４０へ出力する。ＥＰＧ復号部３６は、ＥＰＧデータを復号してシステムコントローラ３８へ出力する。ネットワークインタフェース３７は、インターネット５を介して番組情報提供サイト６からＥＰＧデータを取得して、システムコントローラ３８へ出力する。システムコントローラ３８は、チューナ２の各部を制御する。また、システムコントローラ３８は、ＥＰＧ復号部３６やネットワークインタフェース３７から出力されたＥＰＧデータをＥＰＧ記憶部３９に記憶させる。また、ＥＰＧ記憶部３９からＥＰＧデータを読み出して、通信インタフェース４０を介してスピーカ装置１へ出力する。ＥＰＧ記憶部３９は、ＥＰＧデータを記憶する。通信インタフェース４０は、スピーカ装置１と情報をやりとりするためのインタフェースである。
【００２６】
音声データプレーヤ３において、音声データ再生部５１は、ＣＤ、ＤＶＤなどの記録媒体に記録された音声データを読み出して音声復号部５２へ出力する。音声復号部５２は、音声データ再生部５１から出力された音声データをディジタル音声信号に変換して通信インタフェース５３へ出力する。通信インタフェース５３は、スピーカ装置１と情報をやりとりするためのインタフェースである。ネットワークインタフェース５４は、インターネット５を介して音楽データベースサイト７から音楽の種類の情報などを取得して、システムコントローラ３８へ出力する。システムコントローラ５５は、音声データプレーヤ３の各部を制御する。
【００２７】
スピーカ装置１は、音声ソースの種類に応じて、各スピーカの再生担当音域を変更して再生することができる。図４は、アレイスピーカの音声ソースに応じた領域設定を示す図である。図４（Ａ）には、人の声などを再生する場合の配列を示している。すなわち、マトリックス状に配置したアレイスピーカ２２のほぼ中心部の数個のスピーカに、指向性の強い高音域の再生を担当させる。また、高音域の再生を担当するスピーカの周囲における複数のスピーカに中音域の再生を担当させる。さらに中音域の再生を担当するスピーカの周囲における残りの複数のスピーカに低音域の再生を担当させる。これにより、各音域がフラットに再生されるので、人の声などを容易に聞き取ることができる。また、高音の再生領域を狭く設定しているので、高音の指向性を緩やかに（広く）することができる。
【００２８】
図４（Ｂ）に示すように、低音域を必要とするポピュラー系の音声ソースの場合には、低音担当領域ができるだけ広くなるように各スピーカに再生音域を担当させる。すなわち、低音担当領域をＵ字型に設定して、中音担当領域を低音担当領域の内側にＴ字型に設定する。そして、高音担当領域を低音担当領域の内側であって中音担当領域の上部に設定する。このように各スピーカに再生音域を担当させることで、ポピュラー系の音声ソースを快適に再生することができる。
【００２９】
図４（Ｃ）に示すように、低音域から高音域まで比較的均等なバランスで再生するクラシック系の音声ソースの場合には、図４（Ｂ）の場合よりも低音担当領域を減らして中音担当領域を増加させる。すなわち、低音担当領域をＵ字型に設定して、中音担当領域を低音担当領域の内側に四角形に設定する。そして、高音担当領域を低音担当領域の内側であって中音担当領域の上部に設定する。このように各スピーカに再生音域を担当させることで、クラシック系の音声ソースを快適に再生することができる。
【００３０】
図４（Ａ）〜（Ｃ）に示したようなアレイスピーカ２２の各スピーカ２２−１〜２２−ｎの音域を設定するためのフィルタスイッチ１９の設定は、図４（Ｄ）に示すように、音楽の種類や番組のジャンルなどに応じて設定されたデータが記憶部１２に格納されている。
【００３１】
なお、図４に示した各音域の領域分けは、音声ソース毎に再生テストを行い、適正な聴感が得られる再生担当音域分布を求めて、各スピーカに設定する再生担当音域を記憶部１２に記憶させると良い。
【００３２】
また、スピーカ装置１は、ポピュラー、クラシック、ジャズ、ロックなど音楽の種類（音楽ジャンル）に応じて、アレイスピーカ２２の各スピーカの再生担当音域を設定するだけでなく、例えば、音楽、ニュース、スポーツ、ドラマ、映画といったチューナ２で受信する番組のジャンルに応じて各スピーカの再生担当音域を設定することもできる。
【００３３】
スピーカ装置１は、チューナ２や音声データプレーヤ３などの音声ソース供給機器が音声ソースの種類に関する情報やジャンル情報を提供可能な場合には、この情報を音声ソース供給機器から取得し、この情報に従ってフィルタスイッチ１９の設定を変更して、アレイスピーカ２２の各スピーカの再生担当音域を変更させる。
【００３４】
例えば、チューナ２のシステムコントローラ３８は、映像信号や音声信号を受信した際にＥＰＧデータを受信している場合や、チューナ２で受信する番組の情報を含むＥＰＧデータをＥＰＧ記憶部３９で記憶している場合には、音声復号部３５で復号してスピーカ装置１に出力する音声信号の番組ジャンルの情報や音楽の種類の情報をＥＰＧデータから抽出する。そして、通信インターネット４０を介してスピーカ装置１へ出力する。
【００３５】
また、チューナ２のシステムコントローラ３８は、映像信号や音声信号を受信した際にＥＰＧデータを受信できない場合や、ＥＰＧデータをＥＰＧ記憶部３９で記憶していない場合には、インターネット５を介して番組情報提供サイト６から番組情報（ＥＰＧデータ）を取得する。そして、スピーカ装置１に出力する音声信号の番組ジャンルの情報や音楽の種類の情報をＥＰＧデータから抽出して、スピーカ装置１へ出力する。
【００３６】
音声データプレーヤ３のシステムコントローラ５３は、音声データ再生部５１で再生する記録媒体に音楽の種類の情報が記録されている場合には、この情報を音楽データとともにスピーカ装置１へ出力する。また、システムコントローラ５３は、音声データ再生部５１で記録媒体を再生した際に、記録媒体に音楽の種類の情報が記録されていない場合には、記録媒体から読み出した記録データの情報に基づいて音楽の種類の情報や映画・スポーツなどのジャンルの情報を取得して、スピーカ装置１はへ出力する。
【００３７】
一方、音声ソース供給機器が音声ソースの種類に関する情報を提供不能な場合には、スピーカ装置１は、ユーザに対して音声ソースの種類に関する情報の設定を行うように報知し、ユーザが操作部１３を操作して音声信号の種類について設定したことを検出すると、ユーザの設定に応じてアレイスピーカの各スピーカの再生担当音域を変更させる。操作部１３には、音楽の種類の選択ボタン及び番組のジャンルの選択ボタンなど複数の設定ボタンが形成されており、ユーザは、スピーカ装置１で再生する音声の種類に応じて所望のボタンを選択して操作することで、音域毎に再生領域を最適に設定した状態で音声を再生することができる。
【００３８】
以上の説明では、スピーカ装置１のアレイスピーカの各スピーカの再生担当音域の設定は、音声ソース供給機器から送られてきた情報に基づいて設定する場合について説明したが、別の方法であっても良い。図５は、スピーカ装置の別の概略構成を示したブロック図である。例えば、図５に示すように、スピーカ装置１の通信インタフェース１１に入力セレクタを設けて、入力セレクタに接続する機器及びこの機器で再生する音声のジャンルを固定しておき、入力セレクタの切り替えスイッチの切り替えに連動してシステムコントローラ１５が音声のジャンルを認識して、記憶部１２からフィルタスイッチ１９の設定を読み出すような構成にしても良い。
【００３９】
図５に示した例では、ドラマ番組のみを受信するように設定したＢＳ放送チューナ９１の出力端子を入力セレクタ１１ａの入力端子１に接続し、映画のみを再生するＤＶＤプレーヤ９２の出力端子を入力セレクタ１１ａの入力端子２に接続し、ニュースのみを受信するラジオ９３の出力端子を入力セレクタ１１ａの入力端子３に接続し、音楽のみを再生するＭＤプレーヤ９４の出力端子を入力セレクタ１１ａの入力端子４に接続する。そして、入力セレクタの切り替えスイッチの切り替えに連動してシステムコントローラ１５へ端子番号の情報が送られるように構成する。また、入力セレクタ１１ａの入力端子番号と音声のジャンルを関連づけて記憶部１２に記憶させている。したがって、システムコントローラ１５は、入力セレクタ１１ａから出力された情報に基づいて音声のジャンルを認識することができる。
【００４０】
次に、スピーカ装置１の動作についてフローチャートに基づいて説明する。図６は、スピーカ装置の動作を説明するためのフローチャートである。以下の説明では、図３に示したチューナ２の音声データをスピーカ装置１で再生する場合について説明する。スピーカ装置１のシステムコントローラ１５は、チューナ２から音声データが送られてきたことを検出すると（ｓ１）、音声データの種類の情報または番組のジャンル情報がチューナ２から送られてきているか否かを確認する（ｓ２）。システムコントローラ１５は、音声データの種類の情報または番組のジャンル情報がチューナ２から送られてきていない場合には、操作部１３を操作して再生する音声の音楽の種類または番組のジャンルを設定するように促すメッセージを表示部１４に表示させる（ｓ３）。そして、システムコントローラ１５は、操作部１３が操作されたことを検出するまで待機する。システムコントローラ１５は、ユーザが操作部１３を操作したことを検出する（ｓ４）と、操作されたボタンに応じて記憶部１２からフィルタスイッチ１９の設定情報を読み出して、ＤＳＰ設定部１６に制御信号を出力する（ｓ５）。ＤＳＰ設定部１６は、この制御信号に基づいて各スピーカの再生担当音域を設定するためにフィルタスイッチ１９へバンドパスフィルタの設定切り替え信号を出力して、システムコントローラ１５は、アレイスピーカ２２から音声を放音させる（ｓ６）。システムコントローラ１５は、音声データの出力が終了したことを検出すると（ｓ７）、処理を終了する。
【００４１】
一方、システムコントローラ１５は、ステップｓ２において、音声データの種類の情報または番組のジャンル情報がチューナ２から送られてきている場合には、この情報に基づいて記憶部１２からフィルタスイッチ１９の設定情報を読み出してＤＳＰ設定部１６に制御信号を出力する（ｓ８）。以下、スピーカ装置１は、ステップｓ６以降の処理を実行する。
【００４２】
なお、アレイスピーカの振動板を区分する仕切板やクランパの形状は、格子状に限るものではなく、例えばハニカム状に形成しても良い。
【００４３】
また、以上の説明では、アレイスピーカが平面スピーカの場合について説明したが、本発明は平面スピーカに限るものではなく、例えば、コーン型・ホーン型・ドーム型などの複数のスピーカをマトリックス状に配置した構成のアレイスピーカにも適用して、再生する音声の音域毎に再生領域を分けることができる。
【図面の簡単な説明】
【００４４】
【図１】アレイスピーカの外観を表す正面図及び側面断面図である。
【図２】スピーカ装置のアレイスピーカの組み立て方法の一例を示した図である。
【図３】本発明の実施形態に係るスピーカ装置の概略構成を示すブロック図である。
【図４】平面スピーカの音声ソースに応じた領域設定を示す図である。
【図５】スピーカ装置の別の概略構成を示したブロック図である。
【図６】スピーカ装置の動作を説明するためのフローチャートである。
【符号の説明】
【００４５】
１−スピーカ装置、２−チューナ、３−音声データプレーヤ、
５−インターネット、６−番組情報提供サイト、
７−記録媒体情報提供サイト、１１−通信インタフェース、１２−記憶部、
１３−操作部、１４−表示部、１５−システムコントローラ、
１６−ＤＳＰ設定部，１７−音声デコーダ、１８−残響負荷部
１９−フィルタスイッチ、２０−ＤＳＰ、２１−アンプ、２２−平面スピーカ
【図１】
2005130397.tif 000003
【図２】
2005130397.tif 000004
【図３】
2005130397.tif 000005
【図４】
2005130397.tif 000006
【図５】
2005130397.tif 000007
【図６】
2005130397.tif 000008